(57)【要約】【課題】自動車のドアガラスに傘立を吸着させ、雨天の時に自動車の乗降時に少しでも雨に濡れないようにする手軽な器具を提供すること。【解決手段】  吸盤と把持部により構成される傘立であって、２個の傘立の吸盤を自動車のドアガラス内面に吸着させ、雨天時の自動車の乗降時に、自動車のドアを開き、２個の傘立の把持部に傘の柄を挟み、傘を開いて、乗降時に雨に濡れることを防ぐ自動車ドアガラス吸着傘立セットとして使用するもの。【選択図】図３
0003162426.tif 000002
【実用新案登録請求の範囲】
【請求項１】
吸盤と把持部により構成される傘立であって、２個の傘立の吸盤を自動車のドアガラス内面に吸着させ、雨天時の自動車の乗降時に、自動車のドアを開き、２個の傘立の把持部に傘の柄を挟み、傘を取り付け、開いた傘で、乗降時に雨に濡れることを防ぐ自動車ドアガラス吸着傘立セット。
【請求項２】
２個の傘立の把持部について、傘の柄を挟む広さ及び強度がそれぞれ異なる請求項１の自動車ドアガラス吸着傘立セット。
【考案の詳細な説明】
【技術分野】
【０００１】
本考案は、自動車の乗降時に雨に濡れないため、自動車のドアガラスに吸着させる傘立に関する。
【背景技術】
【０００２】
雨天の時の自動車の乗降時に雨に濡れないために、自動車のドアを半開きにして、傘を開き自動車から降り、また、ドアを開けて傘を閉じながら、自動車に乗るようにしているのが一般的である。傘を車内で開閉することはできず、車外で開閉するため、雨天の場合には自動車の乗降時には雨に濡れることを余儀なくされ、荷物を持っている場合、あるいは子供を抱きかかえている場合等では、傘の開閉もままならず、雨天特に降雨が激しい場合には、どうしたらよいか困ってしまう場合が多かった。
【０００３】
こうした、雨天の時の自動車の乗降時雨に濡れないための工夫として、以下のような先行技術がある。降雨時に雨に濡れることなく、さらに、腰をかがめる等の窮屈な姿勢を解消して、自動車の乗降と傘の開閉が楽な姿勢で行えるようにするため、雨を遮断する庇と庇の張り出しと収納を行うために回転するアームと、アームを駆動するモーターと、アームと連動して回転し庇の移動をスムーズにすると共に、張り出した状態の庇を安定させる役割の補助アームと、横からの雨の吹き込みを防ぐための側壁と、庇の張り出し位置にアームを固定し支える役割のストッパーで構成される自動車乗降口の雨よけ装置(特許文献１)、雨に濡れることなく自動車の乗降を行うことができ、濡れた傘を車内に持ち込まなくても済む自動車用の雨除け装置として、乗降口上部を覆う傘と、傘の支軸の他端を保持する保持部と、支軸の他端側に設けられ、傘１１の支軸２１を直立状態、及び自動車１の進行方向と反対の方向に倒伏した倒伏状態に駆動させる支軸駆動部と、傘が直立状態のときに、傘の摺動ろくろを摺動させ、傘を開閉させる傘開閉部とを備える雨除け装置(特許文献２)、降雨時タクシー１の乗降用ドアの上方に高く傘を開閉させることを目的として、タクシーの後部天井にほぼ長方形機函を設け、上記機函の一端内部に前後方向支軸架設し、該支軸に発条の力で起立し、発条の力に抗して機函内に倒伏する傘の柄を装着し、上記柄の直立時に傘を開き、倒伏時に傘を閉じるためワイヤロープ１４と、上記柄７の頂点部分から機函３の他端内部に設けた大径ドラム１３に巻回されるワイヤロープとからなるタクシー乗降用傘(特許文献３) 等多くの先行技術文献がある。
【０００４】
自動車の乗降時の雨よけは瞬間的なものであり、一寸我慢をすれば済む問題であるため、上記各先行技術では、自動車に雨よけの装置を設置する必要があり、経費がかかり過ぎ、また新車にこうした装置を設置することにはやや抵抗があると思われる。雨天時の自動車の乗降時に、雨に濡れない簡単な手段がないかと本考案者は探していたが、取り外し自由な吸盤の付いた傘立を、自動車のドアガラス内面に付け、自動車の乗降時に、これに傘を立てて雨よけを行い、その都度傘を取り外すことを思いついた。
【先行技術文献】
【特許文献】
【０００５】
【特許文献１】特開２００８−２０１３９５号公報
【特許文献２】特開２００５−２５５６１９号公報
【特許文献３】特開２００４−３４８９９号公報
【考案の概要】
【考案が解決しようとする課題】
【０００６】
解決しようとする問題点は、雨天時の自動車の乗降時に雨よけをするため、自動車のドアガラス内面に傘立を吸着させ、傘を取り付ける簡易な器具を提供することである。
【課題を解決するための手段】
【０００７】
第１の考案は、吸盤と把持部により構成される傘立であって、２個の傘立の吸盤を自動車のドアガラス内面に吸着させ、雨天時の自動車の乗降時に、自動車のドアを開き、２個の傘立の把持部に傘の柄を挟み、傘を取り付け、開いた傘で、乗降時に雨に濡れることを防ぐ自動車ドアガラス吸着傘立セットである。
【０００８】
本考案の傘立は、吸盤と把持部により構成される。吸盤は吸着盤ともいわれ、市販されている。プラスチック製で皿形状であり、皿部分をガラス等に押しつけると内部の空気が抜けてガラス等に吸着する。把持部は、市販のクリップを使用し、吸盤とクリップを使用した把持部を接合して傘立とした。
【０００９】
この傘立を自動車のドアガラス内面に吸着させ、把持部に傘を取り付けるが、１個の傘立だけでは、傘を保持する強度が不十分であり、２個の傘立を自動車ドアガラス吸着させ、２個の傘立の把持部に傘の柄を挟み、傘を取り付けるものである。２個の傘立を同時に使用するため、これを自動車ドアガラス吸着傘立セットとした。自動車乗降時に、傘が閉じた状態あるいは開いた状態で自動車ドアガラス吸着傘立セットに取り付けられ、使用後取り外される。なお、傘の柄には、手持部分、軸部分が含まれる。
【００１０】
続いて、第２の考案は、２個の傘立の把持部の傘の柄を挟む広さ及び強度がそれぞれ異なる請求項１の自動車ドアガラス吸着傘立セットである。
【００１１】
傘の柄は、手持部分と軸部分ではその太さが異なるため、太さに応じて柄を挟むようにするため、同時に使用する２個の傘立の把持部の傘の柄を挟む広さ及び強度を変えたものである。
【考案の効果】
【００１２】
本考案の自動車ドアガラス吸着用傘立は、自動車ドアガラスからいつでも取り外しをすることができ、手軽に使用でき、安価であるという利点がある。
【図面の簡単な説明】
【００１３】
【図１】図１は、傘立の説明図である。
【図２】図２は、自動車ドアガラス４に傘立が吸着している図である。
【図３】図３は、自動車ドアガラスに自動車ドアガラス吸着傘立セットが吸着し、傘が取り付けられた図である。
【図４】図４は、図３をガラス外側から見た図である。
【図５】図５は、傘の柄を自動車ドアガラス吸着傘立セットに取り付けた拡大図である。
【００１４】
本考案の実施例を以下に示す。
【実施例１】
【００１５】
傘立１は、吸盤１１と把持部１２から構成され、吸盤１１と把持部１２は接合部品１３により接合されている。接合部品１３と吸盤１１あるいは把持部１２は、金属接合部品１４により接合されている。吸盤１１と把持部１２は市販品を使用し、作製した接合部品１３で金属接合部品１４を使用して接合し傘立１とした。把持部１２は、プラスチック製のクリップを使用した。
【００１６】
図１の(１)は、接合部品１３を吸盤１１と平行にして吸盤内の空気を抜いて吸着できる状態を示し、(２)は、接合部品１３を吸盤１１垂直にして、吸盤内に空気を入れて脱着する状態を示している。
吸盤は、図示しない物を引っかけるフックが付き、このフックの動きにより、吸盤内の空気の抜き入れを行っている。このフックに、接合部品１３を接合し、接合部品１３の動き、例えば、吸盤１１に接合部品１３を水平あるいは垂直に動かすことにより傘立の脱着を行う。図２は自動車ドアガラス４に傘立１が吸着している図である。
【実施例２】
【００１７】
図３には、自動車ドアガラス４に自動車ドアガラス吸着傘立セット２が吸着し、傘３が取り付けられた図を示し、図４には、これを自動車ドアガラス４の外側から見た図を示す。また、図５には、傘の柄３１を自動車ドアガラス吸着傘立セット２に取り付けた拡大図を示す。
【００１８】
１対の傘立１である自動車ドアガラス吸着傘立セット２を使用し、傘１を取り付けるが、自動車ドアガラス吸着傘立セット２を自動車ドアガラスに吸着させる方向により、傘の向きを任意に決めることができ、風向きに対処できる。
【産業上の利用可能性】
【００１９】
雨天の時、自動車乗降時に手軽に使用でき、いつでも自動車のドアガラスから取り外しが自由にできることから、利用される機会が多いと思われる。
【符号の説明】
【００２０】
１    傘立  １１  吸盤  １２  把持部  １３  接合部品  １４  金属接合部品
２  自動車ドアガラス吸着傘立セット
３  傘    ３１  傘の柄    ３２  傘の手持部分  ３３  傘の軸部分
４  自動車のドアガラス
【図１】
0003162426.tif 000003
【図２】
0003162426.tif 000004
【図３】
0003162426.tif 000005
【図４】
0003162426.tif 000006
【図５】
0003162426.tif 000007